(57)【要約】【課題】ペットホテルの管理者にとって経営的に好ましいものでありながら、小型犬から大型犬まで、良好な環境で宿泊できるペットホテルに利用されるペット用集合ハウス及びそれを配置した店舗建物を提供すること。【解決手段】建物内の居室（例えば、グルーミングスペースＣ）内に収納されるペットが一時的に保管されたり宿泊するためのペットハウス（又はペットのルーム）が集合したペット用集合ハウス３０である。多数のユニットルームＲ１が隣接して配置され、隣接するユニットルームＲ１，Ｒ１間の少なくとも一カ所には、挿入及び引き抜くことにより隣接するユニットルームＲ１，Ｒ１を画成又は連通させることのできる引抜壁３１を備え、各ユニットルームＲ１の前方には施錠可能な扉をそれぞれ備え、各ユニットルームＲ１の後方の上方は該ユニットルームＲ１の天井壁３４により閉鎖されているが、前方は開放されている。【選択図】　図５
2004097105.tif 000002
【特許請求の範囲】
【請求項１】
建物内の居室内に収納されるペットが一時的に保管されたり宿泊するためのペット用集合ハウスであって、
多数のユニットルームＲ１が隣接して配置され、
隣接するユニットルームＲ１，Ｒ１間の少なくとも一カ所には、挿入及び引き抜くことにより隣接するユニットルームＲ１，Ｒ１を画成又は連通させることのできる引抜壁を備え、
各ユニットルームＲ１の前方には施錠可能な扉をそれぞれ備えていることを特徴とするペット用集合ハウス。
【請求項２】
前記ペット用集合ハウスは、前記引抜壁を間にして該引抜壁の両側に前記ユニットルームＲ１を備えた構造を一つのユニット（以下、ルームユニットＵという。）とし、該ルームユニットＵの複数を隣接配置することにより組み立てたものであることを特徴とする請求項１記載のペット用集合ハウス。
【請求項３】
前記ルームユニットＵ，Ｕ間は、互いのルームユニットＵ，Ｕ間を接合した状態で取り外しが可能に接合する接合具により接合されていることを特徴とする請求項２記載のペット用集合ハウス。
【請求項４】
前記ルームユニットは主として木製であることを特徴とする請求項１〜３のいずれかに記載のペット用集合ハウス。
【請求項５】
前記ユニットルームＲ１の後方の上方は該ユニットルームＲ１の天井壁により閉鎖されて前記居室と前記ユニットルームＲ１とが画成されているが、該ユニットルームＲ１の前方の上方は前記居室の天井面に向けて開放されていることを特徴とする請求項１〜４のいずれかに記載のペット用集合ハウス。
【請求項６】
請求項１〜５のいずれかに記載のペット用集合ハウスをペットのシャンプー、カットなどを行うグルーミングスペースＣを有する建物内の前記居室内に配置すると共に、前記ペット用集合ハウスの背後に前記グルーミングスペースを配設し、前記ユニットルームＲ１の天井壁の上面は、該グルーミングスペースＣ側の棚として利用可能としたことを特徴とする店舗建物。
【請求項７】
請求項１〜５のいずれかに記載のペット用集合ハウスを、調理場を含む調理スペースＡ、ペットと同伴で飲食が可能な食事スペースＢ、ペットのシャンプー、カットなどを行うグルーミングスペースＣ及びペットの雑貨を販売する売店スペースＤを含み、前記各スペースＡ〜Ｄは、相互に少なくとも壁により隔離されるとともに、前記調理スペースＡ、食事スペースＢ及びグルーミングスペースＣは相互には直接移動ができず、かつ、前記調理スペースＡ、食事スペースＢ及びグルーミングスペースＣは前記売店スペースＤを介して相互に移動可能に構成されたペット総合店舗内の前記グルーミングスペースＣ内に配設したことを特徴とする店舗建物。
【請求項８】
前記売店スペースＤをグルーミングスペースＣに比べて室温を低く維持する室温維持装置を備えたことを特徴とする請求項７に記載の店舗建物。
【請求項９】
前記売店スペースＤをグルーミングスペースＣに比べて陽圧に維持する空気圧維持装置を備えたことを特徴とする請求項７に記載の店舗建物。
【請求項１０】
前記売店スペースＤと前記グルーミングスペースＣとの間には、前記グルーミングスペースに向けて開かれる開き戸が設けられていることを特徴とする請求項７記載の店舗建物。
【発明の詳細な説明】
【０００１】
【発明の属する技術分野】
本発明は、ペットの一時的保管や宿泊を受け入れるペットの保管施設に利用されるペット用集合ハウス及びそれを配置した店舗建物に関する。
【０００２】
【従来の技術】
従来より、ペットを飼養している飼い主が、旅行などで長時間外出する際にペットを一時的に受け入れてペットを一時的に保管するいわゆるペットホテルの利用が活発となっている。このようなペットホテルでは、小型犬又は中型犬では、独立ケージ型の保管施設が用いられ、大型犬では柵型の保管施設が用いられている。
【０００３】
【発明が解決しようとする課題】
しかしながら、このようなケージ型の保管施設では、飼い主のもとで自由に育った犬が宿泊するには圧迫感がある。また、中型犬ではケージ型の保管施設に宿泊するには狭すぎる。この点、大型犬用の柵型の保管施設を利用すれば、宿泊環境はよくなるが、大型犬用の柵型の保管施設は広いスペースを必要とするので、ペットホテルの経営者にとっては経営的に好ましいものではない。
【０００４】
ペットホテルの管理者は、ペットのお好みの玩具などを持参して宿泊をすることを奨励しているが、著しい環境の変化は必ずしも宿泊施設を利用するペットにとってはよい環境とは言えない。
【０００５】
少子・高齢化、核家族化、単身世帯の増加等、従来の「家族」のあり方や形態が変化しつつある今日、「パートナー」としてペット（愛玩動物）を飼う人が増加しつつある。総理府の調査によれば、全国で三割以上の世帯がペットを飼っており、その割合は大都市になればなるほど増加傾向にあるという。しかしながら、大都市においてペットが人と共生する環境は必ずしも十分であるとは言えず、大都市にて運営されるペットホテルにおいてもペットが宿泊するに良好な環境が望まれている。
【０００６】
そこで、この発明は、ペットホテルの管理者にとって経営的に好ましいものでありながら、小型犬から大型犬まで、良好な環境で宿泊できるペットホテルに利用されるペット用集合ハウス及びそれを配置した店舗建物を提供することを目的とする。
【０００７】
【課題を解決するための手段】
上記課題を解決するため、請求項１記載の発明は、建物内の居室内に収納されるペットが一時的に保管されたり宿泊するためのペットハウス（又はペットのルーム）が集合したペット用集合ハウスであって、多数のユニットルームＲ１が隣接して配置され、隣接するユニットルームＲ１，Ｒ１間の少なくとも一カ所には、挿入及び引き抜くことにより隣接するユニットルームＲ１，Ｒ１を画成又は連通させることのできる引抜壁を備え、各ユニットルームＲ１の前方には施錠可能な扉をそれぞれ備えていることを特徴とするペット用集合ハウスである。
【０００８】
このように構成すれば、ユニットルームＲ１の一つは、例えば小型犬用又は小型犬と中型犬用の兼用のペットハウス（又はペットのルーム）として利用され、引抜壁を引き抜くことにより隣接するユニットルームＲ１，Ｒ１間を画成する壁が取り払われるので、二つのユニットルームＲ１，Ｒ１が一つの大型のペットハウス（広いルーム）（例えば中型犬用又は中型犬と大型犬との兼用）として利用できる。また、互いに隣接する三つのユニットルームＲ１，Ｒ１，Ｒ１間に二つの引抜壁がある場合には、それらの二つの引抜壁を引き抜くことにより三つのユニットルームＲ１，Ｒ１，Ｒ１が一つの大きなペットハウス（例えば大型犬用のルーム）として利用できる。それ故、この施設を利用するペットの大きさに応じて各ハウス（又はルーム）の大きさを最適な大きさに設定することができるので、効率的に各ユニットルームＲ１を利用することができる。
【０００９】
また、このような大型のハウス（又は広いルーム）へのペットの出入りは、各ユニットルームＲ１に設けられているいずれかの扉を利用すればよい。これらの扉は前方に設けられているので、他のユニットルームＲ１が隣接されても扉の使用に支障はなく、また、大型犬でも使用できる。
【００１０】
これにより、ペットホテルの管理者にとって経営的に好ましいものでありながら、小型犬から大型犬まで、良好な環境で宿泊できるペット用集合ハウスを提供することができる。
【００１１】
この引抜壁を間にして両側にユニットルームＲ１を備えた構造を一つのユニット（以下、ルームユニットＵという。）とし、そのルームユニットＵの複数を隣接配置することによりペット用集合ハウスを構成すれば、ペット用集合ハウスの組み立てが容易である。
【００１２】
また、このペット用集合ハウスは、ユニット化されているので、ルームユニットＵを増減することによりペット用集合ハウスの大きさを簡易に変更できる。これにより、ペット用集合ハウスが配設される居室のスペースに応じてユニットルームＲ１の数を増減することが簡単に行えるので、ペット用集合ハウスをフランチャイズチェーンのように展開する場合において特に有利である。
【００１３】
ここで、このルームユニットＵ，Ｕ間は、互いのルームユニットＵ，Ｕ間を接合した状態で取り外しが可能に接合する接合具により接合されていれば、ペット用集合ハウスの組み立て又は分解が容易に行え、補修や廃棄の際の利便性が向上する。
【００１４】
特に、ユニットルームＲ１をペットに優しい木製とするとペット用集合ハウスはウッドテラス風の建物となるが、木製であるので耐久性が劣る場合があるが、交換すべきユニットルームＲ１又はルームユニットのみを選択的に取り替えることが容易となる。
【００１５】
また、前記ユニットルームＲ１の後方の上方は該ユニットルームＲ１の天井壁により閉鎖されて前記居室と前記ユニットルームＲ１とが画成されているが、該ユニットルームＲ１の前方の上方は前記居室の天井面に向けて開放されていれば、ユニットルームＲ１の後方の上方は各ペットハウス（ユニットルームＲ１）の天井壁により閉鎖されているので、ペットは安心して休むこともでき、ペットハウス（ペットルームＲ１）の前方の上方は居室の天井面に向けて開放されているので、巡回者がペットの様子を上方から直接視認できると共にルーム内のペットは上方が開放されていることにより、圧迫感がない。これにより、このようなペット用集合ハウス（ユニットルームＲ１）を利用するペットはテラスハウスで過ごすと同様の開放感を味わうことができる。
【００１６】
また、このユニットルームＲ１（ペット用集合ハウス）の背後にはペットのシャンプー、カットなどを行うグルーミングスペースＣに連設されると共にユニットルームＲ１の天井壁の上面はグルーミングスペースＣ側の棚として利用可能であることが好ましい。
【００１７】
グルーミングスペースＣに連設されていれば、グルーミングの順番待ちをしているペットの一時的な待合いスペースとしてペット用集合ハウスを利用することができる。
【００１８】
また、グルーミングスペースで発生するダストやペット用集合ハウスで発生する臭いなどが問題となることが少なく、また、ペット用集合ハウスに滞在するペットの状況をグルーミングを行っている従業員が見守ることが容易となる。
【００１９】
また、ユニットルームＲ１（ペット用集合ハウス）の天井壁の上面をグルーミングスペースＣ側の棚として利用すれば、空間の有効利用を図ることができる。
【００２０】
このペット用集合ハウスは、調理場を含む調理スペースＡ、ペットと同伴で飲食が可能な食事スペースＢ、ペットのシャンプー、カットなどを行うグルーミングスペースＣ及びペットの雑貨を販売する売店スペースＤを含み、前記各スペースＡ〜Ｄは、相互に少なくとも壁により隔離されるとともに、前記調理スペースＡ、食事スペースＢ及びグルーミングスペースＣは相互には直接移動ができず、かつ、前記調理スペースＡ、食事スペースＢ及びグルーミングスペースＣは前記売店スペースＤを介して相互に移動可能に構成されたペット総合店舗内の前記グルーミングスペース内に配設されていることが好ましい。
【００２１】
グルーミングスペースＣ内に配設されていれば、グルーミングの順番待ちをしているペットの一時的な待合いスペースとしてペット用集合ハウスを利用することができる。また、グルーミングスペースで発生するダストやペット用集合ハウスで発生する臭いなどが問題となることが少なく、また、ペット用集合ハウスに滞在するペットの状況をグルーミングを行っている従業員が見守ることが容易となる。
【００２２】
また、このようなペット総合店舗内に配設されていれば、調理場を含む調理スペースＡ、ペットと同伴で飲食が可能な食事スペースＢ、ペットのシャンプー、カットなどを行うグルーミングスペースＣ及びペットの雑貨を販売する売店スペースＤとを備えているので、スペースＡ、Ｂ及びＤを利用することにより、カフェテラス業を運営することができ、スペースＣ及びＤを備えることによりグルーミング業を運営することができ、スペースＤを備えることによりペット雑貨販売業を運営しながら、ペット用集合ハウスを運営することもできるので、この店舗はペット総合店舗の利便性を備える。
【００２３】
そして、このようなペット総合店舗では多数の顧客が利用すると考えられ、一時預かりや宿泊のペットの数も増大されると予想されるが、ペット総合店舗を訪れる顧客の中でグルーミングスペースＣを利用する顧客は限られるので、一時預かりや宿泊のペットがペット総合店舗を訪れる顧客と直接対面する機会が少なく、ペットが安心して宿泊できる。
【００２４】
また、この場合、グルーミングスペースＣに隣接する売店スペースＤへのペットのダストの流出を極力抑える構成とするのが好ましい。このような構成は、例えば、前記売店スペースＤをグルーミングスペースＣに比べて室温を低く維持する室温維持装置を備えたり、前記売店スペースＤをグルーミングスペースＣに比べて陽圧に維持する空気圧維持装置を備えたり、前記売店スペースＤと前記グルーミングスペースＣとの間には、前記グルーミングスペースに向けて開かれる開き戸を設けたりすることである。
【００２５】
売店スペースＤをグルーミングスペースＣに比べて室温を低く維持する室温維持装置を備えることにより、スペース間を仕切る仕切部材を開いた場合に、ペットに基づくダスト密度が高い床面での空気の流れが、低温側から高温側へと流れるため、高温側に位置するグルーミングスペースのダストを売店スペースに広げて汚染させることを低減させることができる。
【００２６】
また、売店スペースＤをグルーミングスペースＣに比べて陽圧に維持する空気圧維持装置を備えていれば、グルーミングスペースＣから売店スペースＤへのダストの移動を少なくすることができる。
【００２７】
また、前記売店スペースＤと前記グルーミングスペースＣとの間に、前記グルーミングスペースに向けて開かれる開き戸を設けることにより、清潔に保たれるべき売店スペースＤの室内空気をかき乱すことなく、開き戸を開くことができる。
【００２８】
【発明の実施の形態】
以下、本発明に係るペットホテルをペット総合店舗（店舗建物）内のグルーミングルームＣ内に配設した実施の形態につき図面を参照しつつ説明する。ここで、図１〜図３は、ペットホテルを配設するペット総合店舗の構成を概念的に説明する概念図であり、図４は、本発明の実施の形態に係るペットホテルをペット総合店舗内に配設した場合の具体的一例を間取図により説明する図である。なお、この発明の実施の形態において同一乃至は均等な部位部材は同一符号を付して詳細な説明は省略することがある。
［ペット総合店舗１Ａの概念図］
図１は、本発明において用いられるペット総合店舗１Ａの構成を概念的に説明する一例である。このペット総合店舗１Ａは、仕切壁２（２ａ〜２ｄ）により仕切られた調理場を含む調理スペースＡ、ペットと同伴で飲食が可能な食事スペースＢ、ペットのシャンプー、カットなどを行うグルーミングスペースＣ及びペットの雑貨を販売する売店スペースＤを備えている。
【００２９】
売店スペースＤと食事スペースＢとの間には出入口としての扉３ａが設けられ、売店スペースＤとグルーミングスペースＣとの間には出入口としての扉３ｂが設けられている。食事スペースＢとグルーミングスペースＣとの間は仕切壁２ｃにより隔離されている。また、調理スペースＡと売店スペースＤとの間には、従業員のみが専用に出入り可能な扉４が設けられ、売店スペースＤには顧客が出入りするエントランス５ａ及び業務用を兼用した出口５ｂが設けられている。
【００３０】
ここで、調理スペースＡと売店スペースＤとを仕切る仕切壁２ａ、グルーミングスペースＣと売店スペースＤとを仕切る仕切壁２ｂ及びグルーミングスペースＣと食事スペースＢとを仕切る仕切壁２ｃとは実質的に床面から天井面まで両スペースを隔離する仕切壁であるが、売店スペースＤと食事スペースＢとを仕切る仕切壁２ｄは一部又は全部が、例えば、腰壁乃至はそれよりも高い仕切壁であってもよい。
【００３１】
このように構成されたペット総合店舗１Ａの作用について説明する。
【００３２】
調理スペースＡと食事スペースＢとの間には売店スペースＤが介在されて調理スペースＡから食事スペースＢには直接には移動できなく、また、調理スペースＡとグルーミングスペースＣとの間には売店スペースＤが介在されて調理スペースＡからグルーミングスペースＣには直接には移動できなく、また、食事スペースＢとグルーミングスペースＣとの間には仕切壁２又は売店スペースＤが介在されて食事スペースＢからグルーミングスペースＣには直接には移動できないが、調理スペースＡ、食事スペースＢ及びグルーミングスペースＣは売店スペースＤを介して相互に移動可能に構成されている。
【００３３】
この条件を備えたペット総合店舗１Ａは、調理場を含む調理スペースＡ、ペットと同伴で飲食が可能な食事スペースＢ、ペットのシャンプー、カットなどを行うグルーミングスペースＣ及びペットの雑貨を販売する売店スペースＤとを備えているので、スペースＡ、Ｂ及びＤを利用することにより、カフェテラス業を運営することができ、スペースＣ及びＤを備えることによりグルーミング業を運営することができ、スペースＤを備えることによりペット雑貨販売業を運営することができるので、この店舗はペット総合店舗の利便性を備える。
【００３４】
これにより、この店舗を利用する顧客は、調理場を含む調理スペースＡにより調理された料理を購入して食事スペースＢでペットと同伴で飲食でき、また、グルーミングスペースＣを利用することによりペットのシャンプー、カットなどが行え、更に、売店スペースＤを利用することによりペットの雑貨をウインドショッピングしたり又は実際に購入することができる。
【００３５】
また、このペット総合店舗１Ａを訪れた顧客は、例えば、グルーミングスペースＣに開設された店舗でペットのシャンプー、カットなどをお願いしている間に、売店スペースＤにて自由にショッピングを行ったり、また、食事スペースＢでティータイムを楽しむことができる。
【００３６】
また、ペットと同伴で訪れた顧客は、調理スペースＡにて調理された料理を購入し、食事スペースＢでペットと同伴でティータイムを楽しむことができる。
【００３７】
また、このようなペット総合店舗１Ａでは、各スペースＡ〜Ｄは相互に少なくとも壁により隔離されているので、各スペースで発生するダストが隣接するスペースを汚染することが少ない。
【００３８】
また、衛生的に管理されなければならない調理スペースＡは、ペットに基づくダストの発生の多い食事スペースＢ又はグルーミングスペースＣとは直接移動できない構成とされ、かつ、この調理スペースＡと売店スペースＤとの扉４は従業員専用であるので、食事スペースＢ及びグルーミングスペースＣにより発生したダストにより調理スペースＡが汚染されることがない。
【００３９】
また、顧客は売店スペースＤを介して食事スペースＢとグルーミングスペースＣ間を往来することができ、ペット総合店舗１Ａの利便性に支障はない。
【００４０】
このような構成を備えるペット総合店舗１Ａは、調理スペースＡ及び食事スペースＢの衛生管理を行えるので、食事スペースＢへペット同伴で入室しても、衛生上の問題が生じることが少ない。
【００４１】
これにより、このようなペット総合店舗１Ａを標準店舗とすれば全国展開可能なペット総合店舗ビジネスの構築に寄与することができる。これにより、例えば、独立店（又は加盟店）から特約料を徴収するとともに親業者がペット総合店舗の運営ノウハウを提供するというペット総合店舗ビジネスを構築することもできる。
【００４２】
また、このような構成のペット総合店舗１Ａは、どこの地域に設置しても飼い主がペット同伴で利用できる標準化されたペット総合店舗であり、この標準化されたペット総合店舗１Ａを軸として全国展開を計ることにより、ペット同伴で利用できるペット総合店舗の全国での設置個数を増大させ、ひいてはペットが人と共生する環境の整備に寄与することができる。
［ペット総合店舗１Ｂの概念図］
図２は、本発明において用いられるペット総合店舗１Ｂの構成を概念的に説明する他の例である。
【００４３】
このペット総合店舗１Ｂでは調理スペースＡ、食事スペースＢ、グルーミングスペースＣ及び売店スペースＤを備え、各スペースＡ〜Ｄは仕切壁２（２ａ，２ｅ，２ｆ）により仕切られ、売店スペースＤと食事スペースＢとの間には扉３ａが設けられ、売店スペースＤとグルーミングスペースＣとの間には扉３ｂが設けられ、食事スペースＢとグルーミングスペースＣとの間は仕切壁２ｅ，２ｆ及び売店スペースＤにより隔離されている。また、調理スペースＡと売店スペースＤとの間には、従業員のみが専用に出入り可能な扉４が設けられている。
【００４４】
また、調理スペースＡには調理された料理を販売する料理販売スペースＡ１を備え、この販売スペースＡ１はペット総合店舗１Ｂの玄関（エントランス５ａ）に隣接された外側に向けて設けられている。またこのエントランス５には風除室Ｄ１が設けられている。
【００４５】
ここで、調理スペースＡと売店スペースＤとを仕切る仕切壁２ａ、グルーミングスペースＣと売店スペースＤとを仕切る仕切壁２ｅは実質的に床面から天井面まで両スペースを隔離する仕切壁であるが、売店スペースＤと食事スペースＢとを仕切る仕切壁２ｆは一部又は全部が、例えば、腰壁乃至はそれよりも高い仕切壁であってもよい。その他の構成は図１に示すペット総合店舗１Ａと同様である。
【００４６】
このように構成されたペット総合店舗１Ｂでは調理スペースＡにより調理された料理を料理販売スペースＡ１にて購入した顧客は、動線的に近いエントランス５ａからペットと同伴で風除室Ｄ１を介して売店スペースＤに入ることができる。ついで、扉３ｂから食事スペースＢに入って食事スペースＢでペットと同伴で飲食できる。また、グルーミングスペースＣを利用することによりペットのシャンプー、カットなどが行える。この場合も、ペット総合店舗１Ａと同様に、衛生的に管理されなければならない調理スペースＡは、ペットに基づくダストの発生の多い食事スペースＢ又はグルーミングスペースＣとは直接移動できない構成とされ、かつ、この調理スペースＡと売店スペースＤとの扉４は従業員専用であるので、食事スペースＢ及びグルーミングスペースＣにより発生したダストにより調理スペースＡが汚染されることがない。
【００４７】
これにより、このような構成のペット総合店舗１Ｂは、どこの地域に設置しても飼い主がペット同伴で利用できる標準化されたペット総合店舗であり、この標準化されたペット総合店舗１Ｂを軸として全国展開を計ることにより、ペット同伴で利用できるペット総合店舗の全国での設置個数を増大させ、ひいてはペットが人と共生する環境の整備に寄与することができる。
［ペット総合店舗１Ｃの概念図］
図３は、本発明に用いられるペット総合店舗１Ｃの構成を概念的に説明する概念図であり、このペット総合店舗では、食事スペースＢ、調理スペースＡ等の衛生的に保ちたいスペースへのダストの進入を抑制する手段について説明されている。
【００４８】
図３のペット総合店舗１Ｃでは調理スペースＡ、食事スペースＢ、グルーミングスペースＣ及び売店スペースＤの各スペースＡ〜Ｄには室温調整装置及び換気量調整装置（いずれも不図示）が設けられている。また、スペースＤと食事スペースＢとの間にはスペースＤに向けた開閉可能な扉３ａが設けられ、売店スペースＤとグルーミングスペースＣとの間にはグルーミングスペースＣに向けて開閉可能な扉３ｂが設けられ、調理スペースＡと売店スペースＤとの間には売店スペースＤに向けて開閉可能な扉４が設けられている。
【００４９】
エアコンまたはクーラー等の室温調整装置は、食事スペースＢを売店スペースＤに比べて室温を低く維持し、かつ、調理スペースＡを売店スペースＤに比べて室温を低く維持し、かつ、売店スペースＤをグルーミングスペースＣに比べて室温を低く維持している。例えば、この実施例では、調理スペースＡを２０°Ｃ、食事スペースＢを２０〜２２°Ｃ、グルーミングスペースＣを２５〜２７°Ｃ、売店スペースＤを２３〜２４°Ｃの範囲に維持されるように設定している。
【００５０】
また、換気量調整装置は、室内空気の循環と外気取り入れ量及び排気量とのバランスから食事スペースＢを売店スペースＤに比べて陽圧に維持し、かつ、調理スペースＡを売店スペースＤに比べて陽圧に維持し、かつ、売店スペースＤをグルーミングスペースＣに比べて陽圧に維持している。例えば、換気装置、エアーカーテン等の送気装置などの空気送給装置により各スペースＡ又はＢに供給される空気の量を、各スペースＡ又はＢから排出される排気量に比べて大きく設定したり、換気装置、排気装置などの空気送給装置によりスペースＤに供給される空気の量を排出される排気量に比べて小さく設定したり、排気量を大きく設定してスペースＤに負圧を発生させている。
【００５１】
このように構成されたペット総合店舗１Ｃではペット総合店舗１Ｂの作用効果に加え、各扉を開放した場合の空気の流れは、換気量調整装置の作用により矢印ａで示さるようにクリーンに保ちたいスペースから汚れの発生の多いスペースへと流れる。即ち、食事スペースＢから売店スペースＤに流れ、調理スペースＡから売店スペースＤに流れ、売店スペースＤからグルーミングスペースＣに流れる。
【００５２】
例えば、食事スペースＢを売店スペースＤに比べて陽圧（正圧）とすることにより売店スペースＤからを食事スペースＢへ移動するダストの量を削減することができる。また、調理スペースＡを売店スペースＤに比べて陽圧とすることにより売店スペースＤからを調理スペースＡへ移動するダストの量を削減することができる。
【００５３】
また、食事スペースＢ及び調理スペースＡを共に売店スペースＤに比べて陽圧とすることにより食事スペース及び調理スペース共に衛生的に保つことができる。
【００５４】
本発明に従えば、食事スペースＢ及び調理スペースＡの双方を加圧に保っても、間に売店スペースＤを備えるので、片方のスペースＡ（又はＢ）に送給された過剰空気が他方のスペースＢ（又はＡ）に送給されることがない。
【００５５】
これにより、食事スペースＢ及び調理スペースＡの双方を衛生的に保つこともできる。この場合、グルーミングスペースＣは正圧でも負圧でもどちらでもよいが、グルーミングスペースＣが負圧の場合には、最もダストの発生するグルーミングスペースＣが負圧であることにより、グルーミングスペースＣから発生するダストが売店スペースＤを介して調理スペースＡ又は食事スペースＢに移動することが無く、同一建物内にグルーミングスペースＣを備えていても、調理スペースＡ及び食事スペースＢを汚染させることがない。
【００５６】
また、各扉の開閉方向と各スペースの温度管理から、各扉を開いた場合、温度が低く管理されたスペースから温度が高く管理されたスペースに向かって床面付近の冷気が移動するが、この冷気の移動方向と扉の開放方向が一致するので、床面付近の冷気を混ぜることなく、かつ、クリーンに保ちたいスペースから汚れの発生の多いスペースに向かって冷気が移動するので、ダストを拡散させることが少ない。
【００５７】
なお、図１に係るペット総合店舗１Ａでも扉の開閉方向及び室温調整装置及び換気量調整装置を同様に備えることにより同様な効果を奏することは明らかである。
［ペット用集合ハウスを配設したペット総合店舗の具体例］
図４は、本発明の実施の形態に係るペットホテルをペット総合店舗内のグルーミングスペースＣ内に配設した場合の具体的一例を説明する間取図である。
【００５８】
この図４において、符号１はペット総合店舗であり、このペット総合店舗１は集合店舗の一角に設けられ、太実線で示された仕切壁２により仕切られた調理場を含み、テイクアウト形式の商品受け渡し場所Ａ１を有する調理スペースＡ、ペットと同伴で飲食が可能な食事スペースＢ、ペットのシャンプー、カットなどを行うグルーミングスペースＣ及びペットの雑貨を販売する売店スペースＤを備えている。
【００５９】
調理スペースＡ内にはカフェ厨房兼売店Ａ２とストックヤードＡ３とが設けられ、商品受け渡し場所Ａ１の道路側には引っ込みスペースＥ（玄関アプローチ兼顧客待機スペース）が設けられている。また、カフェ厨房兼売店Ａ２とストックヤードＡ３との間には扉６ｃが設けられ、商品受け渡し場所Ａ１には商品受け渡し用の棚１２が配置され、カフェ厨房兼売店Ａ２内には作業台、製氷器、冷蔵庫などの厨房設備１３が配置されている。
【００６０】
また、食事スペースＢには食事をとるためのテーブル１４及び椅子又はベンチ１５のセットが並べられ、扉３ａの横にはダストボックス１６が配置されている。また、外壁７に沿って透明ガラス又は観音開きなどにより開放可能な窓が設けられ、この食事スペースＢはオープンカフェ又はカフェテラスなどと呼称されるオープンテラスの雰囲気を備えている。
【００６１】
グルーミングスペースＣにはグルーミングスペース専用のカウンター２２が配置され、ドッグバス１７、大型ドライヤー１８、作業台１９などを備えた中央スペースＣ２に加えてトリミングルームＣ１とペットの一次預かり施設（ペットホテルＨ）を配置したペット預かりスペースＣ３を備えている。このペット預かりスペースＣ３の詳細は、後述する［ペットホテル］の項で詳述される。
【００６２】
また、売店スペースＤは、符号Ｄ１〜Ｄ５で表される５つのスペースに分画されている。それらは、エントランス５ａから続く風除室Ｄ１を介して扉６ａから総合レジカウンター２３を備えた中央スペースＤ２、ペット用雑貨を主体にした雑貨等の販売品を陳列する多数の陳列台又は棚２４…を備えた陳列スペースＤ３、ペットと同伴で休憩できる休憩スペースとペットの雑貨を陳列する陳列台又は棚２４を備えた休憩兼陳列スペースＤ４、陳列スペースＤ３の奥に配置された洗面スペースＤ５である。
【００６３】
中央スペースＤ２と食事スペースＢとの間には扉３ａが設けられている。その中央スペースＤ２と陳列スペースＤ３（又は休憩陳列スペースＤ４）との間には階段２５上に仕切部材としての出入り口枠２６が設けられている。この出入り口枠２６にはエアーカーテンなどが設置されていてもよい。
【００６４】
また、陳列スペースＤ３とグルーミングスペースＣとの間には自動開閉式の扉３ｂが設けられている。また、総合レジカウンター２３の近傍の調理スペースＡに向けて従業員のみが専用に出入り可能な扉４が設けられている。
【００６５】
また、調理スペースＡおよびグルーミングスペースＣと他のスペースとを仕切る仕切壁２（２ａ、２ｅ）は、実質的に床面から天井面まで相互のスペースを遮断しているが、売店スペースＤと休憩兼陳列スペースＤ４を仕切る仕切壁２（２ｆ）は腰壁程度である。
【００６６】
また、不図示の店舗外には、オープンテラスが設けられており、このオープンテラスは大型犬と同伴で食事を取ることができる。
【００６７】
つぎに、このように構成されたペット総合店舗１の作用について説明する。
【００６８】
このように構成したペット総合店舗１によれば、最も衛生管理が必要な調理スペースＡは、ペットに基づくダストの発生が最も多いグルーミングスペースＣとは、中央スペースＤ２及び陳列スペースＤ３が間に介在されることにより調理スペースＡの汚染の可能性が低減され、また、最も出入りが多い売店スペースＤは各スペースＡ〜Ｄのほぼ中央に配置されることにより、顧客が移動する動線は最も短いが、顧客が移動するには陳列棚の製品を見ながら移動することになる。
【００６９】
各スペースＡ，Ｂ，Ｃの間には売店スペースＤが介在されて各スペースＡ，Ｂ，Ｃはペット総合店舗内で移動するには必ず売店スペースＤを通過する。また、中央スペースＤ２と陳列スペースＤ３との間にエアーカーテンを備えた出入り口枠２６が介在されることにより従業員及び顧客はドアの開閉を行わずに、自由に各スペースＤ２、Ｄ３間を移動することができる。
［ペットホテル］
以上説明した図４に示すペット総合店舗のペット預かりスペースＣ３は、この発明に係るペットホテルとして利用される。このペットホテルには、複数の独立した大型のペットハウス（ペット小屋）２０…を備えている。このペットハウス２０は完全独立型であり内部に監視カメラやその他の必要な備品を備えたＶＩＰ対応型のルームである。
【００７０】
また、このペットホテルには、本発明の実施の形態に係る多数のユニットルームＲ１，Ｒ１，Ｒ１…が互いに隣接されたペット用集合ハウス（ペット小屋群）３０を備えている。
【００７１】
各ユニットルームＲ１…は、図５〜図８に示すように、小型犬が宿泊するに適切な面積を備え、ユニットルームＲ１を二つ又は三つ連通させて利用させる場合に大型犬が利用可能な面積を保有できる程度の大きさである。
【００７２】
このようなユニットルームＲ１の大きさは、外寸で奥行きは６００〜１０００ｍｍ、好ましくは７００〜９００ｍｍ、特に好ましくは７５０〜８５０ｍｍの範囲内であり、例えば８００ｍｍである。またこのユニットルームＲ１の高さは、大型犬が宿泊するに十分な高さであり、外寸で高さ１０００〜１６００ｍｍ、好ましくは１２００〜１５００ｍｍ、特に好ましくは１３００〜１４００ｍｍの範囲内であり、例えば１３３０ｍｍである。また、幅は４００〜８００ｍｍ、好ましくは５００〜７００ｍｍ、特に好ましくは５５０〜６５０ｍｍの範囲内、例えば６００ｍｍである。
【００７３】
ここで、これらの各ルームユニットＲ１の幅は必ずしも均一でなくてもよく、また、小型犬が宿泊するに適切な幅よりも小さく設定してもよいが、規格化された幅であれば、ユニットの更新の為に交換したり、また増設する場合などの利便性が増大する。また、ユニットルームＲ１の幅を小型犬が宿泊するに適切な幅とすれば、引抜壁を引き抜かない状態ではユニットルームＲ１は小型犬用のペットハウス（又はペットホテルのルーム）としてそのまま利用できるので、全体構造が簡略化できる。
［ルームユニットＵ］
次に、このペット用集合ハウス３０の一例を詳細に説明する。この発明に係るペット用集合ハウス３０は多数のルームユニットＵを隣接して構成されている。本実施例では、図５に示すように、二つのユニットルームＲ１，Ｒ１を備えたルームユニットＵが四つ接合されて８室のユニットルームＲ１を備えたペット用集合ハウス３０が組み立てられている。この一つのルームユニットＵの大きさは、外寸で奥行きは８００ｍｍ、高さは１３３０ｍｍ、幅は１２００ｍｍ（６００ｍｍ×２）である。
【００７４】
このようなルームユニットＵは、箱形であり、互いに平行な一対の床桁梁と一対の床妻梁とから形成される方形の床梁と、その床梁の四隅に立設される柱と、該柱間を横架する天井梁とから構成される骨組構造体に対して木製の底板、背板及び側板とを固定して大略構成される。ここで、背板には後述する引抜仕切り板を挿嵌する開口（スリット）が設けられている。
【００７５】
内部に対称に二つのユニットルームＲ１，Ｒ１を備え、その間には二つのユニットルームＲ１，Ｒ１間を仕切る引抜仕切り板３１が設けられる。この引抜仕切り板３１は、いわゆる敷居構造をルームユニットＵの幅方向の中央に設けることにより、この敷居上に引抜仕切り板３１をスライドさせることにより挿入及び引き抜くことができる。引抜の容易さのためには窪み状の把手３１ａが設けられているのがよい。この引抜仕切り板３１は各ユニットルームＲ１を画成する壁板であり、この引抜仕切り板３１が装着された状態では、各ユニットルームＲ１，Ｒ１はそれぞれ小さなルームを備えるペットハウスとして機能され、この引抜仕切り板３１を引き抜くことにより二つのユニットルームＲ１，Ｒ１が一つの大きなルームとなり、一つの大きなペットハウスが形成される。なお、この図では、引抜仕切り板３１の引抜方向は後方であるが、前方であってもよい。
【００７６】
また、各ユニットルームＲ１の前面に開き戸３２が設けられている。この開き戸３２は、図６に示すように、面材としての木製の格子３３が嵌め込まれ、その室内側の面材にはアクリル樹脂など透明樹脂板（不図示）が貼付又は嵌め込まれている。この開き戸３２は、前方に向けて開閉可能な構成であり、また、取り付け、取り外しが行えて、右開き用、左開き用が相互に付け替えられる構成である。それ故、開き戸３２は最初から組み付けられていなくてルームユニットＵを構成する部品として構成されてもよい。
【００７７】
また、このルームユニットＵの後方の上方には天井板３４が設けられる構成とされている。この天井板３３を固定した状態で前方に大きな開口３５が形成されている。この開口３５の大きさは、天井板３４の奥行きにより左右される。天井板３４の奥行きは、ルーム内のペットが天井面を備えて安心できる長さであり、３００〜５００ｍｍ程度の場合には、３００〜５００ｍｍ程度の奥行きの開口３５を得ることができ、この実施例では、天井板３４と開口３５の奥行きはほぼ等しく４００ｍｍである。これにより、前面上方に適度な開口３５を備えたウッドテラス風のペットハウスが形成される。
【００７８】
このようなルームユニットＵ…の複数を互いに隣接して配置することによりこの発明に係るペット用集合ハウス３０が組み立てられる。ここで、各ルームユニットＵは、配置するだけで自重により安定に配列されるが、好ましくは、隣接するルームユニットＵ，Ｕ間を隣接した状態で取り外しが可能に接合する接合具により接合することである。これにより、振動、地震などによりペット用集合ハウス３０が移動したり倒れたりすることを防げ、また、ペット用集合ハウス３０の組み立て又は分解が容易に行え、補修や廃棄の際の利便性も向上する。
【００７９】
このような接合具としては、ボルト固定でもよく、互いに隣接するルームユニット間を横架して接合する接合金具であってもよい。
【００８０】
このようなペット用集合ハウス３０では、引抜仕切り板３１を後方に向けて引き抜くことにより各隣接ユニットルームＲ１，Ｒ１を連通させて一つの広いペットハウス（ペットホテルのルーム）が得られる。各ユニットルームＲ１…は、小型犬が宿泊するに適切な面積を備えているので小型犬を宿泊させるには、引抜仕切り板３１を装着させた状態で各ユニットルームＲ１，Ｒ１を独立に二つの部屋（又は二つのペットハウス）として利用する。また、中型犬又は大型犬を宿泊させるには、引抜仕切り板３１を取り外して相互のユニットルームＲ１、Ｒ１を連通させて一つの広い部屋（大型のペットハウス）として利用する。
【００８１】
この開き戸３２を開くことによりペットはこの開き戸３２からハウス（ルーム）内に出入りすることができる。この場合、これらの開き戸３２は前方に開閉できるタイプであるので、隣接のユニットルームＲ１が開き戸３２と干渉することがない。
【００８２】
また、この開き戸３２の室内側には、透明板が貼付されているので、犬が開き戸３２を通して外部を視認することができ、また、犬が前足を開き戸３２に掛けて肉球を痛めることがない。
【００８３】
また、ユニットルームＲ１の幅を外寸で、例えば４００ｍｍ以上とすれば、ユニットルームＲ１の前面に大型犬が出入りすることができる大きさの開き戸３２を設けることができ、この実施例のように幅を広くすれば、大型犬でもゆったりと出入りすることができる開き戸３２を設けることができる。
【００８４】
また、このような構成のペット用集合ハウス３０では、各ユニットルームＲ１の後方の上方は各ルームの棚板３３が天井壁となってユニットルームＲ１の天井面を閉鎖しているので、ペットは安心して休むこともできる。
［ルームユニットＵの変形例］
以上説明したルームユニットＵでは、二つのユニットルームＲ１，Ｒ１から構成されていたが、三つのユニットルームＲ１，Ｒ１，Ｒ１から構成してもよい。また、この場合、中間に位置するユニットルームＲ１の中央に追加的に引抜仕切り壁３１を挿入可能に構成すれば、ユニットルームＲ１の約１．５倍の面積を備えるルーム（ペットハウス）を得ることができる。
［ペット総合店舗内へのペット用集合ハウスの配設］
つぎにこのようなペット用集合ハウスをペット総合店舗内のグルーミングスペースＣ内に配置した場合の詳細について説明する。
【００８５】
図９、図１０に示すように、天井板３４と開口３５との境界付近にはグルーミングスペースＣの天井面３６に向けて壁３７が設けられる。また、天井板３４はグルーミングスペースＣで作業するトリマー等の作業用の棚として利用される。
【００８６】
また、このようにグルーミングスペースＣ内にペット用集合ハウス３０を配設すれば、ペットは、ペットにとっては広い空間と思える天井面３６までの広い空間を開口３４から得て、このようなペット用集合ハウスを利用するペットはテラスハウスで過ごすと同様の開放感を味わうことができる。また、このユニットルームＲ１は木製であるので、ペットはウッドテラスに宿泊していると同様な開放感を味わい、癒されることができる。
【００８７】
また、この開口３５を利用してペットの預かり人（または、巡回者）がペットの様子を上方から直接視認できる。
【００８８】
また、この発明の実施の形態に係るペット集合ハウス３０はグルーミングスペースＣ内に配置されているので、グルーミングの順番待ちをしているペットの一時的な待合いスペースとしての利便性が増大する。
【００８９】
また、グルーミングスペースＣで発生するダストやペット用集合ハウス３０で発生する臭いなどが問題となることが少なく、また、ペット用集合ハウス３０に滞在するペットの状況をグルーミングを行っている従業員が見守ることが容易となる。
【００９０】
また、このようなペット総合店舗内に配設されていれば、調理場を含む調理スペースＡ、ペットと同伴で飲食が可能な食事スペースＢ、ペットのシャンプー、カットなどを行うグルーミングスペースＣ及びペットの雑貨を販売する売店スペースＤとを備えているので、スペースＡ、Ｂ及びＤを利用することにより、カフェテラス業を運営することができ、スペースＣ及びＤを備えることによりグルーミング業を運営することができ、スペースＤを備えることによりペット雑貨販売業を運営しながら、ペット用集合ハウスを運営することもできるので、この店舗はペット総合店舗の利便性を備え、多くの顧客を集客することができる。
【００９１】
そして、このようなペット総合店舗では多数の顧客が利用すると考えられ、一時預かりや宿泊のペットの数も増大されると予想されるが、ペット総合店舗を訪れる顧客の中でグルーミングスペースＣを利用する顧客は限られるので、一時預かりや宿泊のペットがペット総合店舗を訪れる顧客と直接対面する機会が少なく、ペットが安心して宿泊できる。
【００９２】
また、図３のペット総合店舗１Ｃに示されるように、グルーミングスペースＣに隣接する売店スペースＤへのペットのダストの流出を極力抑える構成とするのが好ましい。このような構成は、例えば、前記売店スペースＤをグルーミングスペースＣに比べて室温を低く維持する室温維持装置を備えたり、売店スペースＤをグルーミングスペースＣに比べて陽圧に維持する空気圧維持装置を備えたり、売店スペースＤとグルーミングスペースＣとの間にグルーミングスペースに向けて開かれる開き戸を設けたりすることである。
【００９３】
売店スペースＤをグルーミングスペースＣに比べて室温を低く維持する室温維持装置を備えることにより、スペース間を仕切る仕切部材を開いた場合に、ペットに基づくダスト密度が高い床面での空気の流れが、低温側から高温側へと流れるため、高温側に位置するグルーミングスペースのダストを売店スペースに広げて汚染させることを低減させることができる。
【００９４】
また、売店スペースＤをグルーミングスペースＣに比べて陽圧に維持する空気圧維持装置を備えていれば、グルーミングスペースＣから売店スペースＤへのダストの移動を少なくすることができる。
【００９５】
また、売店スペースＤと前記グルーミングスペースＣとの間にグルーミングスペースに向けて開かれる開き戸が設けることにより、清潔に保たれるべき売店スペースＤの室内空気をかき乱すことなく、開き戸を開くことができる。
【００９６】
これにより、この施設を利用するペットの大きさに応じて各ルームの大きさを最適な大きさに設定することができるので、効率的に各ユニットルームＲ１を利用することができ、ペットホテルの管理者にとって経営的に好ましいものでありながら、小型犬から大型犬まで、良好な環境で宿泊できるペットホテルを提供することができる。
【００９７】
なお、以上の実施の形態では、食事スペースＢと売店スペースＤとの間、及びグルーミングスペースＣと売店スペースＤとの間には扉３が設けられていたが、この扉３に換えて各スペース間を移動可能に仕切る任意の仕切部材を設けてもよい。
【００９８】
このような仕切部材としては、開閉可能なドア、扉、戸などが例示されるが、四周に枠がめぐらされた出入り口枠のみの構成でもよい。このような出入り口枠により各スペース間は遮断される。
【００９９】
これにより、食事スペースＢと売店スペースＤとの間、及びグルーミングスペースＣと売店スペースＤとの間は仕切部材により隔離され、仕切部材を介してこれらのスペース間の移動が可能となる。
【０１００】
また、扉またはドアに代えてエアーカーテン（エアードア）などを設置してもよい。エアーカーテンは、ドアの開閉をせずとも一方のスペースで発生したダストを他のスペースへ汚染させることがなく、顧客や従業員が各スペース間を容易に移動できる。
【０１０１】
また、以上の発明の実施の形態の店舗建物内には、集塵、消臭装置（臭気除去装置）等が備えられていてもよい。
［ペットホテルの変形例］
この変形例に係るペットホテルは、図１１に示すように、ユニットルームＲ１，Ｒ１，Ｒ１…が互いに隣接されたペット用集合ハウス（ペット小屋群）３０´が左右に４個隣接され、更に上下２段に積み重なれて形成されている。
【０１０２】
このようなペット用集合ハウスは、図１２に示すような天井板３４を有しないルームユニットＵ´が用いられている。１階部分の下階用ルームユニットＵ´１の天井は２階部分の上階用ルームユニットＵ´２の床板３８が兼用されている。グルーミングスペースＣの天井高さが２６００ｍｍよりも十分に高ければ、上階用ルームユニットＵ´２として１３００ｍｍの高さのものを用いれば概略、天井はグルーミングスペースＣの天井面３６が兼用されるが、もちろん別個に天井を設けてもよい。
【０１０３】
また、２階部分に積み重ねる上階用ルームユニットＵ´２の高さを１３００ｍｍよりも低く、例えば、１１００ｍｍとすれば、グルーミングスペースＣの天井高さが低い場合にも２段を積み重ねて配置することができる。
【０１０４】
このようなルームユニットＵ´…の複数を互いに上下左右に隣接して配置することによりこの発明の変形例に係るペット用集合ハウス３０´が組み立てられる。ここで、各ルームユニットＵ´は、配置するだけで自重により安定に配列されるが、好ましくは、上下左右に隣接するルームユニットＵ´，Ｕ´間を隣接した状態で取り外しが可能に接合する接合具により接合することである。この為には、下階用ルームユニットＵ´１の上部と、上階用ルームユニットＵ´２との接合部には、予め位置合わせ用の（凹凸などによる）嵌合部を設けたり、接合ボルトを取り付けるための貫通孔を対応位置に穿設しておくのがよい。これにより、振動、地震などによりペット用集合ハウス３０´が移動したり倒れたりすることを防げ、また、ペット用集合ハウス３０´の組み立て又は分解が容易に行え、補修や廃棄の際の利便性も向上する。
【０１０５】
このような接合具としては、発明の実施の形態と同様にボルト固定でもよく、互いに隣接するルームユニット間を横架して接合する接合金具であってもよい。
【０１０６】
このようなペット用集合ハウス３０´では、引抜仕切り板３１を後方に向けて引き抜くことにより各隣接ユニットルームＲ１，Ｒ１を連通させて一つの広いペットハウス（ペットホテルのルーム）が得られるので、小型犬から大型犬までがそれぞれに合ったスペースで快適に宿泊することができる。
【０１０７】
また、開き戸３２を開くことによりペットはこの開き戸３２からハウス（ルーム）内に出入りすることができる。２階部分からの出入りは、小型犬では作業者が抱えればよいが、出入り口付近に移動式の階段を配置することにより大型犬でも自由に出入りすることができる。
【０１０８】
その他の作用効果は発明の実施の形態と略均等であるので詳細な説明は省略する。
【０１０９】
以上、この発明の実施の形態を図面により詳述してきたが、具体的な構成はこの実施の形態に限らず、この発明の要旨を逸脱しない範囲の設計の変更等があってもこの発明に含まれる。
【０１１０】
例えば、引抜仕切り板（引抜壁）３１は、各隣接するルームＲ１を実質的に遮断していたが、隣接する犬同士が邪魔にならない範囲で引抜壁３１の上部、下部、側部などの一部又は全部は隣接ルーム間で隙間があってもよい。
【０１１１】
【発明の効果】
以上説明したように、本発明に従えば、ペットホテルの管理者にとって経営的に好ましいものでありながら、小型犬から大型犬まで、良好な環境で宿泊できるペットホテルに利用されるペット用集合ハウスを提供することができる。
【図面の簡単な説明】
【図１】本発明の実施の形態に係るペット総合店舗の構成を概念的に説明する図である。
【図２】本発明の実施の形態に係るペット総合店舗の構成を概念的を説明する図である。
【図３】本発明の実施の形態に用いられるペット総合店舗の構成を概念的に説明する図である。
【図４】本発明の実施の形態に係るペット総合店舗の一例を具体的間取りにより説明する図である。
【図５】本発明の実施の形態に係るペット用集合ハウスの構成を概念的に説明する平面図である。
【図６】本発明の実施の形態に係るペット用集合ハウスに用いられるルームユニットの構成を概念的を説明する平面図である。
【図７】図６のルームユニットＵを側面から概念的に説明する図である。
【図８】図６のルームユニットＵを正面から説明する図である。
【図９】本発明の実施の形態に係るペット用集合ハウスを店舗建物に設置した一例を側面から説明する図である。
【図１０】図９に係るペット用集合ハウスを店舗建物に設置した一例を正面から説明する図である。
【図１１】本発明の変形例に係るペット用集合ハウスを店舗建物に設置した一例を正面から説明する図である。
【図１２】図１１の変形例に係るルームユニットを正面から説明する図である。
【符号の説明】
Ａ：調理スペース
Ｂ：食事スペース
Ｃ：グルーミングスペース
Ｄ：売店スペース
Ｒ：ユニットルーム
Ｕ：ルームユニット
Ｕ´：２階建て用のルームユニット
Ｕ´１：下階用ルームユニット
Ｕ´２：上階用ルームユニット
１：ペット総合店舗
２：仕切壁
３、４：扉
３０：ペット用集合ハウス
３０´：２階建てのペット用集合ハウス
３１：引抜仕切り板（引抜壁）
３１ａ：把手
３２：開き戸（扉）
３３：格子
３４：天井板
３５：開口
【図１】
2004097105.tif 000003
【図２】
2004097105.tif 000004
【図３】
2004097105.tif 000005
【図４】
2004097105.tif 000006
【図５】
2004097105.tif 000007
【図６】
2004097105.tif 000008
【図７】
2004097105.tif 000009
【図８】
2004097105.tif 000010
【図９】
2004097105.tif 000011
【図１０】
2004097105.tif 000012
【図１１】
2004097105.tif 000013
【図１２】
2004097105.tif 000014